【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】  測温対象から放射された赤外線が入射する入射口と該入射口に入射した赤外線を放射する放射口を有する導光手段と、
該導光手段を保持する高熱伝導性部材と、
前記放射口に対向して設けられ前記放射口から放射された赤外線を検出する赤外線センサと、
基準温度信号を発生する第１の測温手段と、
前記赤外線センサと前記第１の測温手段との出力に基づいて測温対象の温度を演算する演算手段と、
該演算手段の演算結果を告知する告知手段とを備えた放射温度計において、
前記導光手段及び前記高熱伝導性部材に対し、前記赤外線センサを熱的に絶縁する断熱手段を設けており、
前記高熱伝導性部材と前記導光手段とは熱的に結合されていることを特徴とする放射温度計。
【請求項２】  前記導光手段の温度を測定する第２の測温手段を有し、前記演算手段は、前記赤外線センサと前記第１の測温手段と前記第２の測温手段との出力に基づいて測温対象の温度を演算することを特徴とする請求項１に記載の放射温度計。
【請求項３】  前記高熱伝導性部材を前記赤外線センサの前記導光手段側の端部よりも前記導光手段側に配置したことを特徴とする請求項１又は２に記載の放射温度計。
【請求項４】  前記高熱伝導性部材は前記導光手段を挿入する空洞部と前記導光手段の少なくとも一部の外周に固着される前記空洞部に設けられたパイプ固着部とを有することを特徴とする請求項１乃至３何れか一項に記載の放射温度計。
【請求項５】  前記第２の測温手段は感温センサであり、
前記高熱伝導性部材は、前記感温センサを覆うとともに、
該感温センサを前記導光手段の側面又は側面近傍に保持する保持部を有することを特徴とする請求項２乃至４何れか一項に記載の放射温度計。
【請求項６】  前記第２の測温手段は、前記導光手段と略同じ温度状態を示し、且つ外部からの赤外線を入射しないように閉鎖された参照空洞と、
該参照空洞からの赤外線の温度を測定する温度補償用赤外線センサと、
該温度補償用赤外線センサの温度を測定する感温センサとから構成されることを特徴とする請求項２乃至４何れか一項に記載の放射温度計。
【請求項７】  前記断熱手段は、前記導光手段に前記赤外線センサが接触しないように前記導光手段と前記赤外線センサとを所定の間隔に保持する低熱伝導性の光学系連結部材であることを特徴とする請求項１乃至６何れか一項に記載の放射温度計。
【請求項８】  前記光学系連結部材は、前記赤外線センサを圧入するための赤外線センサ圧入部を有することを特徴とする請求項７に記載の放射温度計。
【請求項９】 前記光学系連結部材は、前記導光手段の放射口の内周又は外周に圧入するためのパイプ圧入部を有することを特徴とする請求項７又は８に記載の放射温度計。
【請求項１０】  前記導光手段を覆うケース手段と、
前記導光手段の入射口付近に設けられた窓部材と、
該窓部材を前記ケース手段に保持するための窓保持部材と、
前記ケース手段と前記窓保持部材との隙間を防水する第１のパッキンと、
前記導光手段と前記窓保持部材との隙間を防水する第２のパッキンとを有することを特徴とする請求項１乃至９何れか一項に記載の放射温度計。
【請求項１１】  前記窓部材と前記窓保持部材との間を防水する第３のパッキンを有することを特徴とする請求項１０に記載の放射温度計。
【請求項１２】  前記窓部材は、前記導光手段の入射口に入射する赤外線の反射を防止するコーティング膜を少なくとも一方の面に有することを特徴とする請求項１０又は１１に記載の放射温度計。
【手続補正２】
【補正対象書類名】明細書
【補正対象項目名】０００９
【補正方法】変更
【補正の内容】
【０００９】
【課題を解決するための手段】
上記目的を達成するために、本発明の放射温度計は、測温対象から放射された赤外線が入射する入射口と該入射口に入射した赤外線を放射する放射口を有する導光手段と、該導光手段を保持する高熱伝導性部材と、前記放射口に対向して設けられ前記放射口から放射された赤外線を検出する赤外線センサと、基準温度信号を発生する第１の測温手段と、前記赤外線センサと前記第１の測温手段との出力に基づいて測温対象の温度を演算する演算手段と、該演算手段の演算結果を告知する告知手段とを備えた放射温度計において、前記導光手段及び前記高熱伝導性部材に対し、前記赤外線センサを熱的に絶縁する断熱手段を設けており、前記高熱伝導性部材と前記導光手段とは熱的に結合されていることを特徴とするものである。
さらに、前記導光手段の温度を測定する第２の測温手段を有し、前記演算手段は、前記赤外線センサと前記第１の測温手段と前記第２の測温手段との出力に基づいて測温対象の温度を演算することを特徴とするものである。
【手続補正３】
【補正対象書類名】明細書
【補正対象項目名】００１０
【補正方法】変更
【補正の内容】
【００１０】
また、前記高熱伝導性部材を前記赤外線センサの前記導光手段側の端部よりも前記導光手段側に配置したことを特徴とするものである。
また、前記高熱伝導性部材は前記導光手段を挿入する空洞部と前記導光手段の少なくとも一部の外周に固着される前記空洞部に設けられたパイプ固着部とを有することを特徴とするものである。
【手続補正４】
【補正対象書類名】明細書
【補正対象項目名】００１１
【補正方法】変更
【補正の内容】
【００１１】
また、前記第２の測温手段は感温センサであり、前記高熱伝導性部材は、前記感温センサを覆うとともに、該感温センサを前記導光手段の側面又は側面近傍に保持する保持部を有することを特徴とするものである。
【手続補正５】
【補正対象書類名】明細書
【補正対象項目名】００１２
【補正方法】変更
【補正の内容】
【００１２】
また、前記第２の測温手段は、前記導光手段と略同じ温度状態を示し、且つ外部からの赤外線を入射しないように閉鎖された参照空洞と、該参照空洞からの赤外線の温度を測定する温度補償用赤外線センサと、該温度補償用赤外線センサの温度を測定する感温センサとから構成されることを特徴とするものである。
【手続補正６】
【補正対象書類名】明細書
【補正対象項目名】００１３
【補正方法】変更
【補正の内容】
【００１３】
また、前記断熱手段は、前記導光手段に前記赤外線センサが接触しないように前記導光手段と前記赤外線センサとを所定の間隔に保持する低熱伝導性の光学系連結部材であることを特徴とするものである。
【手続補正７】
【補正対象書類名】明細書
【補正対象項目名】００１４
【補正方法】変更
【補正の内容】
【００１４】
また、前記光学系連結部材は、前記赤外線センサを圧入するための赤外線センサ圧入部を有することを特徴とするものである。
また、前記光学系連結部材は、前記導光手段の放射口の内周又は外周に圧入するためのパイプ圧入部を有することを特徴とするものである。
【手続補正８】
【補正対象書類名】明細書
【補正対象項目名】００１５
【補正方法】変更
【補正の内容】
【００１５】
また、前記放射温度計は、前記導光手段を覆うケース手段と、前記導光手段の入射口付近に設けられた窓部材と、該窓部材を前記ケース手段に保持するための窓保持部材と、前記ケース手段と前記窓保持部材との隙間を防水する第１のパッキンと、前記導光手段と前記窓保持部材との隙間を防水する第２のパッキンとを有することを特徴とするものである。
また、前記窓部材と前記窓保持部材との間を防水する第３のパッキンを有することを特徴とするものである。
また、前記窓部材は、前記導光手段の入射口に入射する赤外線の反射を防止するコーティング膜を少なくとも一方の面に有することを特徴とするものである。
【手続補正９】
【補正対象書類名】明細書
【補正対象項目名】００４６
【補正方法】変更
【補正の内容】
【００４６】
【発明の効果】
以上説明したことから明らかのように、本発明によれば、導光手段と赤外線センサとを熱的に絶縁・分離することにより、導光手段の先端から後端までの温度分布がより簡単な式に近似できる分布になるとともに、その間の温度差も小さくなり、導光手段の温度を代表する温度を示す導光手段の位置の変化が少なくなる。従って、より正確な導光手段の温度補償が可能な放射温度計を提供することができる。
【手続補正１０】
【補正対象書類名】明細書
【補正対象項目名】００４７
【補正方法】変更
【補正の内容】
【００４７】
また、本発明により、導光手段と赤外線センサを位置決めするとともに熱的に絶縁でき、高熱伝導性部材が赤外線センサの側面を覆わないため高熱伝導性部材と赤外線センサとを熱的に絶縁できる。
【手続補正１１】
【補正対象書類名】明細書
【補正対象項目名】００４８
【補正方法】変更
【補正の内容】
【００４８】
また、本発明により、導光パイプの放射口側を気密にでき、導光パイプの金メッキが腐食することがない。また、導光パイプを光学系連結部材に圧入するため、接着剤で固着する場合に比べて組み立ても容易である。
【手続補正１２】
【補正対象書類名】明細書
【補正対象項目名】００４９
【補正方法】変更
【補正の内容】
【００４９】
また、本発明により、導光パイプの放射口側を気密にでき、導光パイプの金メッキが腐食することがない。接着材のように水分を吸収して導光パイプ内に水分が溜まることがない。
【手続補正１３】
【補正対象書類名】明細書
【補正対象項目名】００５０
【補正方法】変更
【補正の内容】
【００５０】
また、本発明により、熱伝導率が同じ部材で覆われているため、感温センサが高熱伝導性部材と略同じ温度に追従し易い。
【手続補正１４】
【補正対象書類名】明細書
【補正対象項目名】００５１
【補正方法】変更
【補正の内容】
【００５１】
また、本発明により、参照空洞からの赤外線を検出するための温度補償用赤外線センサを設けることにより、パイプ温度の実効値をより正確に求めることができる。
【手続補正１５】
【補正対象書類名】明細書
【補正対象項目名】００５２
【補正方法】変更
【補正の内容】
【００５２】
また、本発明により、窓部材の表面にコーティング膜を形成し、且つコーティング膜の剥がれを防止することにより、導光パイプの入射口に入射する赤外線の反射をより確実に防止する。